(57)【要約】【課題】装置が小型でありながら、雨傘に付いた水滴を迅速かつ容易に取り除くことができる雨傘用自動水切り機を提供する。【解決手段】本発明の雨傘用自動水切り機は、雨傘の出入り又は収容のための収容空間を有する水滴除去室と、水滴除去手段を駆動する駆動室と、取り除かれた水滴を貯蔵する集水室とを含む胴体を有する。水滴除去室には収容空間の周りに一定の間隔で離隔した水滴除去手段が提供される。駆動室には水滴除去手段を駆動するための駆動装置が提供される。また、集水室には取り除かれた水滴を貯蔵する集水筒が提供される。かかる構成により、雨傘についた水滴を自動に迅速かつ容易に取り除くことが出来、雨天の時に人々の往来が多いデパートなどで効果的に使用され得る。【選択図】　　　　図１
2004033700.tif 000002
【特許請求の範囲】
【請求項１】
雨傘を収容するための収容空間が中央付近に提供された水滴除去室、上記水滴除去室と連結されている駆動室及び集水室が内部に形成され、一側面に上記収容空間と連通して上記雨傘の出口が形成された胴体；
上記収容空間の周りに設けられ、上記雨傘の水滴を除去するための水滴除去手段；
上記胴体の内部に設けられ、上記収容空間への上記雨傘の挿入を感知するための物体感知手段；
上記駆動室内に設けられ、上記物体感知手段より伝達されてくる信号によって上記水滴除去手段を作動させるための駆動手段；及び、
上記集水室に設けられ、上記水滴除去室より流れ落ちる水を収集するための集水手段；を含むことを特徴とする雨傘用自動水切り機。
【請求項２】
雨傘の出入り及び収容のための収容空間が中央付近に提供された水滴除去室、上記水滴除去室と連結されている駆動室及び集水室が内部に形成された胴体；
雨傘の水滴を取り除くために、上記収容空間の周りに設けられた水滴除去手段；
上記収容空間への雨傘の挿入を感知するために、上記胴体の内部に設けられた物体感知手段；
上記物体感知手段からの発生信号に従って上記水滴除去手段を作動させるために上記駆動室内に設けられた駆動手段；及び、
上記水滴除去室より流れ落ちる水を収集するために上記集水室に設置された集水手段；を含むことを特徴とする雨傘用自動水切り機。
【請求項３】
上記胴体の一側面に形成された上記出口には、外力が加わると上記胴体の外部方向に開放され、上記外力が取り除かれると上記胴体の内部方向に自動に閉鎖されるドアが提供されたことを特徴とする請求項１に記載の雨傘用自動水切り機。
【請求項４】
上記水滴除去手段は、上記水滴除去室内に上記収容空間の周りに一定の間隔で離隔して提供された複数の軸棒と、上記軸棒の外周面に放射状に固着された複数のブラシとを含むことを特徴とする請求項１または２に記載の雨傘用自動水切り機。
【請求項５】
上記駆動手段は、複数の軸棒の下端にそれぞれ提供された複数のプーリ、上記軸棒に動力を印加するために上記複数のプーリの周りに提供されたモータ、及び上記複数のプーリと上記モータとを連結するベルトを含むことを特徴とする請求項１または２に記載の雨傘用自動水切り機。
【請求項６】
上記水滴除去室の下部には、上記水滴除去室の内側壁から中央に向かって下方に傾斜して案内板が提供され、上記案内板の自由端には、複数の排水孔が形成された排水板が水平に設けられていることを特徴とする請求項１または２に記載の雨傘用自動水切り機。
【請求項７】
上記集水室には、上記水滴除去室から流れ落ちる水の量を感知するためのセンサが提供されたことを特徴とする請求項１または２に記載の雨傘用自動水切り機。
【請求項８】
上記雨傘用自動水切り機は、上記胴体に、センサより伝達された信号によって警告音を発生させる警告装置をさらに含むことを特徴とする請求項１または２に記載の雨傘用自動水切り機。
【発明の詳細な説明】
【０００１】
【発明の属する技術分野】
本発明は、雨傘についた水滴を容易に取り除くための、雨傘用自動水切り機に関する。
【０００２】
【従来の技術】
一般に、雨天の時に、濡れ傘を持って室内にあがる場合、しずくで床が濡れて滑りがちである。特に、デパートなどのように流動人口の多い場所では、床に落ちた水滴に因り人々が滑ってけがをする場合がよく発生した。
【０００３】
かかる問題点を補完する目的で、デパートなどの人口密集場所では、水滴が落ちることを防止するために、濡れ傘にビニールカバーを被せる方法が利用されている。しかし、この場合も、使い捨てのビニールカバーがリサイクルされずに廃棄されているため、廃棄過程で深刻な有害物質が発生して環境汚染を加重させている実情である。また、新しいビニールカバーを再生産しなければならず、非経済的であった。
【０００４】
これを補完するために、雨傘の水滴を取り除くための装置が、従来多数公知となっている。まず、１９９６年１０月９日付でＹｏｕｎｇ−Ｄｕ，　ＳＨＩＮに与えられた韓国実用新案登録第１９９６−８７３６号には雨傘用水切り機が開示されている。
【０００５】
同考案は、雨傘の挿入状態で熱風を供給すると同時に、真空モータポンプにより空気を吸入して雨傘についている水滴を取り除き水タンクに収集する構造となっている。しかし、この装置は、サイズが大きく、熱風により水滴を取り除くため、迅速に水滴を取り除くことができなかった。
【０００６】
また、２００２年４月２４日付でＳｅｏｎｇ−Ｈｏ，　ＣＨＯに与えられた韓国実用新案登録第２０−２７４４７６号にも雨傘用脱水機が開示されている。
【０００７】
同考案は、本体の内部に脱水タッブを備え、この脱水タッブの内部には貫通孔が形成され、この貫通孔の外部には複数の脱水パッドが備えられており、貫通孔に雨傘を挿入し水滴を脱水パッドにより取り除く構造となっている。しかし、これによれば、水滴を迅速に取り除くことができず、また、脱水パッドが水滴で飽和状態となると、取り替える作業が必要であるため、不便であった。
【０００８】
【発明が解決しようとする課題】
本発明は上記のような問題点に鑑みてなされたものであり、本発明の目的は、小型でありながら、雨傘についた水滴を迅速に取り除くことができる雨傘用自動水切り機を提供することにある。
【０００９】
【課題を解決するための手段】
上記の目的を達成するために、本発明は、雨傘を収容するための収容空間が中央付近に提供された水滴除去室、上記水滴除去室と連結されている駆動室及び集水室が内部に形成され、その一側面には上記収容空間と連通して上記雨傘の出口が形成された胴体；上記収容空間の周りに設けられ、上記雨傘の水滴を除去するための水滴除去手段；上記胴体の内部に設けられ、上記収容空間への上記雨傘の挿入を感知するための物体感知手段；上記駆動室内に設けられ、上記物体感知手段より伝達されてくる信号によって上記水滴除去手段を作動させるための駆動手段；及び、上記集水室に設けられ、上記水滴除去室より流れ落ちる水を収集するための集水手段；を含むことを特徴とする雨傘用自動水切り機を提供する。
【００１０】
また、本発明は、雨傘の出入り及び収容のための収容空間が中央付近に提供された水滴除去室、上記水滴除去室と連結されている駆動室及び集水室が内部に形成された胴体；雨傘の水滴を取り除くために、上記収容空間の周りに設けられた水滴除去手段；上記収容空間への雨傘の挿入を感知するために、上記胴体の内部に設けられた物体感知手段；上記物体感知手段からの発生信号に従って上記水滴除去手段を作動させるために上記駆動室内に設けられた駆動手段；及び、上記水滴除去室より流れ落ちる水を収集するために上記集水室に設置された集水手段；を含むことを特徴とする雨傘用自動水切り機を提供する。
【００１１】
また、本発明の水滴除去手段は、水滴除去室内に収容空間の周りに一定の間隔で離隔して提供された複数の軸棒と、軸棒の外周面に放射状に固着された複数のブラシとを含む。
【００１２】
また、本発明の駆動手段は、複数の軸棒の下端にそれぞれ提供された複数のプーリ、軸棒に動力を印加するために複数のプーリの周りに提供されたモータ、及び複数のプーリとモータとを連結するベルトを含む。
【００１３】
また、本発明の水滴除去室の下部には、水滴除去室の内側壁から中央に向かって下方に傾斜して案内板が提供され、案内板の自由端には、複数の排水孔の形成された排水板が水平に提供される。
【００１４】
また、本発明の集水室には、水滴除去室から流れ落ちる水の量を感知するためのセンサが提供される。
【００１５】
【発明の実施の形態】
以下、添付図面を参照しながら本発明の望ましい実施の形態を詳細に説明する。
【００１６】
図１は本発明の望ましい実施の形態による雨傘用自動水切り機の全体を示す斜視図、図２は図１の雨傘用自動水切り機の縦断面図、図３は図１の雨傘用自動水切り機の平面図である。
【００１７】
図１乃至図３に示すように、雨傘用自動水切り機１００の胴体１０は雨傘の出入り又は収容のための収容空間５０が提供される水滴除去室２０、この水滴除去室２０と連結される駆動室３０、及び除去された水滴を貯蔵する集水室４０を有し、その外部の所定位置には胴体１０を運搬するための複数の取っ手１８が提供される。
【００１８】
胴体１０内において、水滴除去室２０の上部には、上板１１と下板１２及び上記両板を連結する円周板１３が提供され、この円周板１３は収容空間５０の周りに形成される。
【００１９】
下板１２には収容空間５０の周りに適宜間隔を置いて所定直径の第１挿入孔２３３が複数形成される。この時、複数の第１挿入孔２３３はほぼ三角構図になるように配置され、また軸棒２１の挿入された時に軸棒２１の外周面に取り付けられたブラシ２２の端部が収容空間５０に挿入される雨傘と接触するように配置されるのが望ましい。
【００２０】
円周板１３の所定位置には雨傘の挿入を感知するための第１センサ１６が提供される。これは後述するモータ３１と電気的に連結され雨傘の挿入と同時に信号をモータ３１に送る。
【００２１】
水滴除去室２０には、挿入された雨傘の水滴を取り除くために、複数の軸棒２１と各軸棒２１の外周面に放射状に固着される複数のブラシ２２が提供される。
【００２２】
各軸棒２１の両端には、軸棒２１より小径の第１突起部２３及び第２突起部２４がそれぞれ形成される。第１突起部２３は第１挿入孔２３３に回転自在に挿入され、第２突起部２４は後述する第２挿入孔２４４に回転自在に挿入される。第２突起部２４の自由端にはプーリ３２がそれぞれ固着される。また、第２突起部２４の形成された軸棒２１の端部は後述する貫通孔１４４に回転可能に挿入される。
【００２３】
ブラシ２２は高速回転しながら雨傘と接触するときに、雨傘の布地が損傷することを防止するために、可及的柔らかい材質で作ることが望ましい。また、ブラシ２２の長さは収容空間５０に挿入される雨傘と接触する程度の長さで良いが、より望ましくは雨傘との接触時にブラシ２２の端部が若干撓まれる程度がよい。
【００２４】
胴体１０の内部において、水滴除去室２０の下部には胴体１０の各内側壁から中央に向かって下方に傾斜して案内板１４が提供され、案内板１４の自由端には複数の排水孔１５ａの形成された排水板１５が水平に提供される。
【００２５】
案内板１４には第１挿入孔２３３と対応する位置に貫通孔１４４が形成される。この貫通孔１４４の直径は、軸棒２１の外径とほぼ同一で、軸棒２１の端部が貫通孔１４４に挿入された状態で回転することはできるが、水気の浸入は出来ない程度が望ましい。
【００２６】
また、上記排水板１５と同一の位置に第１隔板３５が提供され、この第１隔板３５には第１挿入孔２３３と対応する位置に複数の第２挿入孔２４４が形成される。第２挿入孔２４４には、上述したように、軸棒２１の一端に形成された第２突起部２４が回転可能に挿入される。
【００２７】
胴体１０の一側面には雨傘の長さとほぼ対応する程度の高さを有し、収容空間５０と連通する雨傘の出口が形成される。しかし、出口を形成せずに収容空間５０を通して雨傘を出入りさせても構わない。
【００２８】
上記出口の形成された胴体１０の一側面には、自動閉鎖機能を有するドア１７が提供される。上記ドア１７は、外力が胴体１０の外部方向に該ドア１７に印加されれば開放され、外力が取り除かれれば自動に閉鎖される。かかる構造によって、雨傘の水滴を取り除く間に、取り除かれた水滴が胴体１０の外部に漏出することが防止できる。
【００２９】
次に、駆動室３０は、胴体１０内で、水滴除去室２０に対して第１隔板３５を介して隔離されている。駆動室３０の内部には水滴除去室２０から取り除かれた水滴の排水のための排水管３４が、排水板１５と連結されて提供される。
【００３０】
第１隔板３５には排水管３４の周りの第１挿入孔２３３と対応する位置に第２挿入孔２４４が形成され、第２挿入孔２４４には、上記言及したように、第２突起部２４が回転可能に挿入される。
【００３１】
また、駆動室３０には、軸棒２１の一端に固着される複数のプーリ３２、これらプーリ３２を回転させるための動力を発生させるモータ３１、及びプーリ３２とモータ３１との間を連結するベルト３３が提供される。プーリ３２は排水管３４の周りに一定の間隔をおいて離隔して配置され、所定の位置にモータ３１が提供される。また、モータ３１は第１センサ１６と電気的に連結されて第１センサ１６から伝達されてくる信号によって駆動される。プーリ３２とモータ３１との間の配置構造については、後述する。
【００３２】
また、集水室４０は、胴体１０内で、駆動室３０に対して第２隔板３６を介して隔離されている。排水管３４を通して排水された水が集水筒４１に貯蔵されるよう、排水管３４と対応する位置の第２隔板３６の中央付近は開放されている。
【００３３】
集水室４０の底面には集水筒４１に貯蔵された水の量を感知するための第２センサ４２が取り付けられる。しかし、第２センサ４２の取付位置は集水室４０の底面に限定されず、集水筒４１に貯蔵された水の量を感知し得る位置ならば何処でも構わない。また、胴体１０の外部の所定位置には第２センサ４２から伝達されてくる信号により警告音などを発生させる警告装置４２２が取り付けられるが、本実施の形態では警告装置４２２が胴体１０の上面に取り付けられている。
【００３４】
図４は図１のＡ−Ａ線に沿った横断面図である。図４に示されたように、胴体１０の内部の中央付近には、破線で示された収容空間５０が提供され、収容空間５０の周りに一定の間隔で離隔して３つの軸棒２１が提供される。これら軸棒２１は、胴体１０の内部空間の効率的な活用のために、ほぼ三角構図になるように配置される。
【００３５】
各軸棒２１の外周面には放射状に複数のブラシ２２が固着される。上述したように、ブラシ２２は、収容空間５０に挿入される雨傘と接触するために、収容空間５０内の一部まで伸びる長さを有するのが望ましい。
【００３６】
また、胴体１０の一側面には収容空間５０と連通する出口が提供され、出口の提供された胴体１０の一側面には自動閉鎖可能なドア１７が提供される。
【００３７】
図５は図４の軸棒の駆動装置を示す概略図である。図５に示すように、軸棒（図４の２１）の一端に固着されて軸棒（図４の２１）に回転力を伝達するプーリ３２は、図４に示された軸棒２１の配置と対応するよう、収容空間５０を中央において該収容空間５０を含むようにほぼ三角構図になるように配置される。
【００３８】
モータ３１はこれらプーリ３２の近傍に配置され、このモータ３１とプーリ３２とはベルト３３により連結される。これによって、モータ３１により発生する動力がベルト３３を介してプーリ３２に円滑に伝達される。
【００３９】
この時、モータ３１とプーリ３２とを連結するベルト３３の連結位置を適宜変更することで、プーリ３２の回転方向を時計方向または反時計方向に一致させるか、時計方向及び反時計方向を混合することも可能である。
【００４０】
図６は、図１のＢ−Ｂ線に沿った横断面図である。図６に示されたように、除去された水滴の排水をガイドするための案内板１４は胴体１０の各内壁面に中央側下方に傾斜して提供され、中央付近には案内板１４の自由端と水平に連結される排水板１５が提供される。また、排水板１５の周りには貫通孔１４４が形成される。
【００４１】
図７は本発明の変形された実施の形態による軸棒の配列状態を示す概略図である。図７に示されたように、胴体１１０内の中央付近に収容空間１５０が提供され、収容空間１５０の左右に２つの軸棒１２１が提供される。その他の構成は、図４に示された本発明の実施の形態と同一であるため、その説明を省略する。
【００４２】
上述した本発明の構造によれば、使用者が収容空間５０に雨傘を挿入させると、これと同時に、胴体１０の上部に提供された円周板１３の所定位置に取り付けられた第１センサ１６が雨傘の挿入を感知する。その後、感知された信号を駆動室３０に提供されたモータ３１に伝達してモータ３１を稼動させる。モータ３１はベルト３３を介して各軸棒２１の一端に固着されたプーリ３２を回転させる。これにより、各軸棒２１が回転すると同時に、軸棒２１に固着された複数のブラシ２２が回転しながら、挿入された雨傘の水滴を取り除く。この時、取り除かれた水滴は、案内板１４に沿ってガイドされ排水板１５及び排水管３４を通して集水筒４１に貯蔵される。使用者は水滴が取られた雨傘を胴体１０に提供されたドア１７または収容空間５０の上部を通して取り出すことができる。使用者が雨傘を挿入し水滴を取ってから雨傘を取り出すまでの所要時間は、約３〜４秒で十分である。上述の過程が数回行われて集水筒４１に水が一定量だけ貯蔵されれば、第２センサ４２がこれを感知して感知信号を警告装置４２２に伝達して警告音を発生する。第２センサ４２は、貯蔵される水の量を持続的に感知するようにするか、それとも、一定量の水が貯蔵された状態だけを感知するようにしておいてもよい。
【００４３】
【発明の効果】
以上説明したように、本発明の雨傘用自動水切り機によれば、雨傘についた水滴を迅速かつ容易に取り除くことが出来る。
【００４４】
また、装置のサイズが大きくないため、デパートなどのように流動人口の多い場所の適当な位置に容易に設置することができる。
【００４５】
また、装置の価格が既存の雨傘用自動水切り機に比べてずっと安価であるため、相対的に広く普及され得る。
【００４６】
また、ビニールカバーの使用を省くことができるため、使用済みのビニールカバーの廃棄による環境汚染の問題も自然に解決される。
【００４７】
以上、本発明をいくつかの具体的な実施の形態に基づいて説明したが、本発明はこれらの実施の形態に限定されるものではなく、当業者の通常の知識の範囲内でその変形や改良が可能であるのは勿論である。したがって、本発明は、請求の範囲に記載された発明から逸脱することのないそういった変形や改良を含むものである。
【図面の簡単な説明】
【図１】本発明の望ましい実施の形態による雨傘用自動水切り機の全体的な斜視図である。
【図２】図１の雨傘用自動水切り機の縦断面図である。
【図３】図１の雨傘用自動水切り機の平面図である。
【図４】図１のＡ−Ａ線に沿った横断面図である。
【図５】図４の軸棒の駆動装置を示す概略図である。
【図６】図１のＢ−Ｂ線に沿った横断面図である。
【図７】本発明の変形された実施の形態による軸棒の配列状態を示す概略図である。
【符号の説明】
１００：雨傘用自動水切り機
１０、１１０：胴体
１１：上板
１２：下板
１３：円周板
１４：案内板
１４４：貫通孔
１５：排水板
１５ａ：排水孔
１６：第１センサ
１７、１１７：ドア
１８：取っ手
２０：水滴除去室
２１、１２１：軸棒
２２、１２２：ブラシ
２３：第１突起部
２４：第２突起部
２３３：第１挿入孔
２４４：第２挿入孔
３０：駆動室
３１：モータ
３２：プーリ
３３：ベルト
３４：排水管
３５：第１隔板
３６：第２隔板
４０：集水室
４１：集水筒
４２：第２センサ
４２２：警告装置
５０、１５０：収容空間
【図１】
2004033700.tif 000003
【図２】
2004033700.tif 000004
【図３】
2004033700.tif 000005
【図４】
2004033700.tif 000006
【図５】
2004033700.tif 000007
【図６】
2004033700.tif 000008
【図７】
2004033700.tif 000009